(57)【要約】  【課題】シフト限界位置においてシフト装置の動作を無効化するための、安価かつ制御容易な動作無効化手段を有するプロジェクター用レンズシフト装置を提供する。  【解決手段】プロジェクターのレンズシフト装置１は、プロジェクターのレンズ鏡筒３（図１）を搭載する移動可能な移動板10・20と、該移動板を案内保持するベース板30と、該ベース板に対して移動板10・20をシフト駆動するシフト機構50・70を備える。シフト機構の送りネジ軸61・81（図４・図６）に、送り動作を無効化させる手段としての、ネジ無部61f・61p・81f・81pが形成されている。【選択図】  図２
2019015862.tif 000002
【特許請求の範囲】
【請求項１】
プロジェクターのレンズ鏡筒（３）を搭載する、移動可能な移動板（10、20）と、
該移動板（10、20）を案内保持するベース板（30）と、
該ベース板（30）に対して前記移動板（10、20）をシフト駆動するシフト機構（50、70）と、を備え、
該シフト機構（50、70）が、送りネジ軸（61、81）、及び、送りナット（17、27）を具備し、
前記シフト機構（50、70）の送り動作を無効化させる手段としての、前記送りネジ軸（61、81）、又は、前記送りナット（17、27）に、ネジの切られていないネジ無部（61f、61p、81f、81p）が形成されていることを特徴とするプロジェクターのレンズシフト装置（１）。
【請求項２】
さらに、シフト限界位置を定めるストッパー（30f、20x、30v、20p）を備え、
そのシフト限界位置において、前記シフト機構（50、70）の送り動作が無効化されることを特徴とする請求項１記載のレンズシフト装置（１）。
【請求項３】
レンズ鏡筒（３）を搭載する、第一方向に移動可能な第一移動板（10）と、
前記第一方向と異なる方向に移動可能な第二移動板（20）と、
前記両移動板（10、20）を案内保持するベース板（30）と、
該ベース板（30）に対して前記第一移動板（10）を前記第一方向にシフト駆動する第一シフト機構（50）と、
前記ベース板（30）に対して前記第二移動板（20）を前記異なる方向にシフト駆動する第二シフト機構（70）と、を備え、
前記第一シフト機構（50）、及び、前記第二シフト機構（70）が、それぞれ、
送りネジ軸（61、81）、及び、送りナット（17、27）を具備し、
さらに、前記第一移動板（10）のシフト限界位置を定める第一ストッパー（30ｆ、30w）、及び、前記第二移動板（20）のシフト限界位置を定める第二ストッパー（20x、20p）、を備え、
前記シフト限界位置において前記シフト機構（50、70）の送り動作を無効化する手段として、前記前記送りネジ軸（61、81）、又は、前記送りナット（17、27）に、ネジの切られていないネジ無部（61f、61p、81f、81p）が形成されていることを特徴とするレンズシフト装置（１）。
【請求項４】
さらに、第一方向の送り動作が無効化されている状態の前記送りネジ軸（61、81）のオネジ（61k、81k）と前記送りナット（17、27）のメネジ（17h、27h）を互いに寄せる方向に加圧する付勢手段（62、63、83）であって、前記第一方向とは逆方向の送り動作の有効化をサポートする手段を具備することを特徴とする請求項１、２又は３記載のレンズシフト装置（１）。
【請求項５】
前記付勢手段として、前記送りネジ軸（61、81）の前記ネジ無部（61f、61p、81p）の外周に、コイルスプリング（62、63、83）が配置されており、
該コイルスプリングが、送り無効状態の送りナット（17、27）を、前記送りネジ軸（61、81）のネジ有部（61ｊ、81j）に寄せるように付勢するものであり、
前記コイルスプリング（62、63、83）の巻き方向と、前記ネジ有部（61ｊ、81j）のネジの巻き方向とが逆であることを特徴とする請求項４記載のレンズシフト装置（１）。
【請求項６】
前記付勢手段として、前記送りネジ軸（61、81）の前記ネジ無部（61f、61p、81p）の外周に、コイルスプリング（62、63、83）が配置されており、
前記送りナット（17、27）と前記送りネジ軸（61、81）との相対的な位置関係に応じて、
前記コイルスプリング（62、63、83）の端が、前記送りナット（17、27）のメネジ（17h、27h）の端（17hl、17hr、27hb）に当接して該送りナットを付勢する状態、又は、
該コイルスプリング（62、63、83）の端が、前記送りネジ軸（61、81）のオネジ（61k、81k）の端（61kl、61kr、81kb）に当接する、前記送りナット（17、27）を付勢しない状態、
となることを特徴とする請求項４又は５記載のレンズシフト装置（１）。
【発明の詳細な説明】
【技術分野】
【０００１】
本発明は、プロジェクターのレンズシフト装置等に関する。特には、シフトの移動範囲（水平／垂直）の端において、構成部材の過剰な力による破壊を防止するための、シフト機構の動作を無効化（空動作化）する手段を備えるレンズシフト装置等に関する。
【背景技術】
【０００２】
プロジェクターの投影映像の位置を調整する方法には、電子的な画像処理による方法（特許文献１）や、レンズ鏡筒をシフトする（動かす）方法がある。後者の方法では、シフトの移動範囲（水平／垂直）を決める手段として、シフトアクチュエータを電気的に制御するものや、機械的なストッパーを用いる手動タイプがある。
【先行技術文献】
【特許文献】
【０００３】
【特許文献１】特開２００５−２１５５４２号公報
【発明の開示】
【発明が解決しようとする課題】
【０００４】
上記の電子的な画像処理による方法の一つは、基本的には広い投影視野の中で、実際に画像を表示する領域を選択するものである。この方法では、大きい光学系が必要になるので、装置が大型化する。シフトアクチュエータを電気的に制御するものは、リミットスイッチやモータ制御系のコストが高くなる。機械的なストッパーを用いる手動タイプでは、シフト移動範囲の端（限界位置）において構成部材に過大な力がかかるのを回避するため、クラッチ機構やトルクリミッターなどの、シフト力の上限を規制する手段が必要となる。
【０００５】
本発明は、シフト移動範囲の端（限界位置）においてシフト装置の動作を無効化する手段を備えるシフト装置等であって、安価かつ制御容易な動作無効化手段を有するプロジェクター用レンズシフト装置等を提供することを目的とする。
【課題を解決するための手段】
【０００６】
この「課題を解決するための手段」の一部の項、及び、「特許請求の範囲」においては、添付図各部の参照符号を括弧書きして示すが、これは単に参考のためであって、権利範囲を添付図のものに限定するものではない。
【０００７】
本発明のプロジェクターのレンズシフト装置（１）は、  プロジェクターのレンズ鏡筒（３）を搭載する、移動可能な移動板（10、20）と、  該移動板（10、20）を案内保持するベース板（30）と、  該ベース板（30）に対して前記移動板（10、20）をシフト駆動するシフト機構（50、70）と、を備え、  該シフト機構（50、70）が、送りネジ軸（61、81）、及び、送りナット（17、27）を具備し、  前記シフト機構（50、70）の送り動作を無効化させる手段としての、前記送りネジ軸（61、81）、又は、前記送りナット（17、27）に、ネジの切られていないネジ無部（61f、61p、81f、81p）が形成されていることを特徴とする。
【０００８】
本発明によれば、ネジ無部において、送りネジ軸と送りナットの間のネジの噛み合いが外れ、いずれか一方を回しても他方は空転するのみで、送りネジの送り作用が働かない。つまり、シフト機構の駆動源（手動・モータなど）を回しても、レンズ鏡筒がシフトしない。そのため、移動板のシフト限界位置（送り端）において、それ以上無理にシフトさせようという力が構成部材に働かない。その結果、そのような構成部材の破損・変形を回避できる。
【０００９】
本発明においては、移動板やベース板は、単純な板状のもの、あるいは、板に適当なリブを形成したものに限定されるものではない。箱状のものや筒状のものであってもよい。ネジ無部は、送りネジ軸のネジ有部の両側に設けるのが典型的と考えられる。      
【００１０】
前記レンズシフト装置においては、第一方向（上下や左右など）の送り動作が無効化されている状態の前記送りネジ軸（61、81）のオネジ（61k、81k）と前記送りナット（17、27）のメネジ（17h、27h）を互いに寄る方向に加圧する付勢手段（62、63、83）であって、前記第一方向とは逆方向の送り動作の有効化をサポートする手段を具備することが好ましい。
通常、ネジが相手方のネジ無部に至って、ネジ外れ（脱ネジ、第一方向の送り動作無効化）となった状況では、ネジを逆の送り方向に回転させても、噛み合いを復帰させるような力・作用がなければ、ネジの噛み合い復帰（逆方向送りの開始）は、自然かつスムーズには起こらない。しかし、ネジ外れが生じてネジの推力がなくなったとき、オネジとメネジを互いに寄せる方向の加圧があれば、ネジを逆の送り方向に回転させたとき、ネジの噛み合い復帰が促進される。すなわち、付勢手段の存在により、送りネジ軸と送りナットの、噛み合う方向の相対回転が、スムーズに両者のネジの噛み合い復帰に導かれ、送り動作の開始が速やかに行われる。ここで、付勢手段は、バネや弾性体（ゴムなど）の他に、重力、磁力、流体力を利用するものなどを、限定なく用いることができる。
【００１１】
本発明においては、シフト移動範囲の端（限界位置）を定めるストッパーを備え、そのシフト移動範囲の端（限界位置）において動作無効化手段が作用するように構成することが好ましい。シフト移動範囲を明確にできるとともに、移動板のシフト限界位置（送り端）におけるシフト機構の構成部材の破損・変形を防止できる。
【００１２】
本発明の具体的態様のレンズシフト装置（１）は、  レンズ鏡筒（３）を搭載する、第一の方向に移動可能な第一移動板（10）と、  前記第一の方向と異なる方向に移動可能な第二移動板（20）と、  両移動板（10、20）を案内保持するベース板（30）と、  該ベース板（30）に対して前記第一移動板（10）を前記第一の方向にシフト駆動する第一シフト機構（50）と、  前記ベース板（30）に対して前記第二移動板（20）を前記第二の方向にシフト駆動する第二シフト機構（70）と、を備え、  前記第一シフト機構（50）、及び、前記第二シフト機構（70）が、それぞれ、  送りネジ軸（61、81）、及び、送りナット（17、27）を具備し、  さらに、前記第一移動板（10）のシフト限界位置を定める第一のストッパー（30ｆ、30v）、及び、前記第二移動板（20）のシフト限界位置を定める第二のストッパー（20x、20p）、を備え、  前記シフト限界位置において前記シフト機構（50、70）の送り動作を無効化する手段として、前記送りネジ軸（61、81）、又は、前記送りナット（17、27）に、ネジの切られていないネジ無部（61f、61p、81f、81p）が形成されていることを特徴とする。
【発明の効果】
【００１３】
本発明によれば、シフト移動範囲の端（限界位置）においてシフト装置の動作を無効化するための、安価かつ制御容易な手段を有するプロジェクター用レンズシフト装置等を提供できる。
【図面の簡単な説明】
【００１４】
【図１】本発明の実施の形態に係るプロジェクター用レンズシフト装置（動作無効化手段付き）の斜視図である。
【図２】図１のレンズシフト装置の分解斜視図である。
【図３】図１のレンズシフト装置の上下シフト機構70の構成を示す正面図である。
【図４】図３の上下シフト機構70における、送りネジ軸81と送りナット27、コイルスプリング83の関係を模式的に示す正面断面図である。（Ａ）は、ナット下降限における送り無効状態である。（Ｂ）は、ナット中間位置における送り動作有効状態である。（Ｃ）は、ナット上昇限における送り無効状態である。
【図５】図１のレンズシフト装置の左右シフト機構50の構成を示す正面断面図である。（Ａ）は全体を示し、（Ｂ）は、送りネジ軸61と送りナット17、コイルスプリング62・63の関係を模式的に拡大して示す正面断面図である。この状態は、送り有効状態である。
【図６】図５の左右シフト機構50の、送り無効状態状態を模式的に示す正面断面図である。（Ａ）は右限の状態であり、（Ｂ）は左限である。
【符号の説明】
【００１５】
１；プロジェクターのレンズシフト装置、３；レンズ鏡筒、3b；フランジ部、４；ネジ
10；左右移動板（第一移動板）、10b；光路開口、10d；下端部、10f；ネジ穴、
10j；側辺、10m；上辺、10p；ナット保持部、10q・10r；突出片、10s；溝
10v・10w；凸部、10x；側辺、14；コイルスプリング
17；送りナット、17h；メネジ（ネジ孔）、17hl；左端、17hr；右端
20；上下移動板（第二移動板）、20b；光路開口、20f；長孔、20p；ナット保持部、
20q；突出片、20x；ストッパー
27；送りナット、27c；左側部分、27h；メネジ（ネジ孔）、27hb；下端、27ht；上端、27j；下端面、27m；右側部分
【００１６】
30；ベース板、30b；光路開口、30c；円形凹部、30d；中央部、30f；ストッパー、
30g；右張出部、30m；バネ掛け突起、30p；左張出部、30t；左辺、
30v；上下送りネジ下端保持部、
36；帯状付勢金具、36b；中央前面、36g；張り出し部、
37；コイルスプリング、38；座金、39；ネジ
50；左右シフト機構（第一シフト機構）、
51；ツマミ、51k歯車、53；歯車、55；小歯車、56；軸、56x；下部
57；ブラケット、57b；下折片、57c；右折片、57f；リブ、58・59；傘歯車、50j；左端面
60；樹脂軸受
【００１７】
61；送りネジ軸、61a；軸受部、61b；傘歯車嵌合部、61f；右ネジ無部、61j；ネジ有部、61k；オネジ（ネジ山）、61kl；左端、61kr；右端、61p；左ネジ無部、61t；軸受部
62・63；付勢手段（コイルスプリング）、67；軸受、67j；右端面
69；ブラケット、69b；下折片、69g；右折片
70；上下シフト機構（第二シフト機構）、
71；ツマミ、71b；ツマミ部、71f；周壁、71k；平歯車、73；平歯車、75；小平歯車、
77；ブラケット、77b；上折片、77f；リブ、78；樹脂軸受
81；送りネジ軸、81b；上端部、81f；上ネジ無部、81j；ネジ有部、
81k；ネジ山（オネジ）、81kb；下端、81kt；上端、81p；下ネジ無部
83；付勢手段（コイルスプリング）、87；樹脂軸受、87j；上端面
【発明を実施するための形態】
【００１８】
以下、本発明の実施の形態について、図面を参照しながら詳細に説明する。以下の説明で、前後方向は投射光の光軸方向を示し、前が映像出力側（投影スクリーンなどの側）、後ろがプロジェクター本体（図示されず）の側である。左右方向、上下方向は、図面の左右方向、上下方向を示す。各方向は、本発明にとって本質的な意味はなく、上下方向も地球重力の方向に限定されるものではない。
【００１９】
まず、図１を参照して、プロジェクター用の動作無効化手段付きレンズシフト装置１の概要を説明する。
このレンズシフト装置１は、プロジェクターのレンズ鏡筒３を上下・左右にシフト（移動）させるものである。このレンズ鏡筒３は、前後方向に延びる筒状のものであり、その後端部にはフランジ部3bが形成されている。同フランジ部3bの四隅は、ネジ４で、左右移動板10に固定されている（図２のネジ穴10f参照）。
【００２０】
左右移動板10は、詳しくは後述するが、図２に示すように、大きい孔（光路開口10b）の開いた、板状のものである。左右移動板10の後側には、上下移動板20及びベース板30が、重ね合わされるように配置されている。ベース板30は、プロジェクター本体（図示されず）に固定されている。上下移動板20は、ベース板30に対して上下に移動する。左右移動板10は、上下移動板20と一緒に上下に移動するとともに、ベース板30に対して左右に移動する。結局、左右移動板10、及び、レンズ鏡筒３（図１）は、プロジェクター本体に対して、上下左右に移動する。
【００２１】
左右移動板10を左右駆動する左右シフト機構50は、図１の右上に示されている。同機構50については、図５及び図６を参照しつつ、詳しく後述する。上下移動板20を上下駆動する上下シフト機構70は、図１の右上に示されている。同機構70については、図３及び図４を参照しつつ、詳しく後述する。
【００２２】
左右移動板10は、図２に示すように、リブ付きの板状のものであって、左右上下に広がるほぼ正方形である。左右移動板10には、前後方向に貫通する、大きい円形の光路開口10ｂが形成されている。四隅のネジ穴10fは、前述のレンズ鏡筒３（図１）を固定するためのものである。左右移動板10の下端部10dには、左右移動板10の下部をベース板30に引き寄せるように引っ張るコイルスプリング14が取り付けられている。この下方のコイルスプリング14、及び、後述する上方のコイルスプリング37（図１）によって、三枚の板（左右移動板10・上下移動板20・ベース板30）が、前後方向には分離不能に、かつ上下・左右には相対スライド可能に、組み立てられている。
【００２３】
左右移動板10の右側の側辺10jは、ベース板30の右ストッパー30fの左側面に当接して、左右移動板10はそれ以上右にシフトできないようになっている。また、左右移動板10の左側の側辺10xは、上下移動板20の左ストッパー20x（図３）の右側面に当接して、左右移動板10はそれ以上左にシフトできない。
【００２４】
左右移動板10の上辺10mの左右には、凸部10v・10wが突設されている。この凸部10v・10wは、左右移動板10の上部を、ベース板30に引き寄せるための部位である（詳細後述）。左右移動板10の右上には、左右シフト機構50の送りナット17を保持するナット保持部10p（図５を参照しつつ後述）が形成されている。
【００２５】
上下移動板20は、図２に示すように、リブ付きの板状のものであって、その正面形状は、左右上下に広がるほぼ正方形である。上下移動板20には、前後方向に貫通する、大きい円形の光路開口20bが形成されている。上下移動板20の四隅には、左右に長い長孔20fが形成されている（図２では上の左右のもののみ示す）。この長孔20fは、左右に移動する左右移動板10のガイド孔である。
【００２６】
上下移動板20の左上には、上下シフト機構70の送りナット27を保持するナット保持部20pが形成されている。同部20pについては、図３を参照しつつ後述する。上下移動板20の左辺の上下中央部（ナット保持部20pの下）には、左右移動板10の左移動を規制するストッパー20x（段落0023で前述）が、前側に突出するように形成されている。
【００２７】
上下のストッパーともに、上下移動板20とベース板30が当接することにより、上下移動板20を止めるよう構成されている。この例では、上下移動板20の上のシフト上限は、上記ストッパー20xの上端面が、ベース板30のネジ下端保持部30v （図３を参照して後述）の下面に当接して決まる。上下移動板20の下のシフト下限は、上下移動板20のナット保持部20pの下面が、ベース板30のネジ下端保持部30vの上面に当接して決まる。
【００２８】
ベース板30は、図２に示すように、リブ付きの板状のものである。ベース板30は、左右上下に広がるほぼ正方形の中央部30dと、同部30dから左右に張り出す部分（        右張出部30g 、左張出部30p、上下送りネジ下端保持部30v）を有する。これらの張り出し部分については、図３・図５を参照しつつ後述する。中央部30dには、前後方向に貫通する長方形の光路開口30b、及び、その周囲の円形凹部30cが形成されている。
【００２９】
中央部30dの上端部には、前方向に突出する二本のバネ掛け突起30mが形成されている。このバネ掛け突起30mは円筒状であり、その外周には、図１に示すように、コイルスプリング37が嵌め込まれている。コイルスプリング37の前側は、座金38、ネジ39によって固定されている。コイルスプリング37の後側は、帯状付勢金具36の中央前面36bに当たっている。
【００３０】
帯状付勢金具36は、この例では、帯状の金属薄板を曲げ加工したものである。帯状付勢金具36は、上記の平たい中央前面36bを有する。中央前面36bの左右前方には、張り出し部36gが形成されている。この張り出し部36gの後面は、前述した（段落0024、図２）、左右移動板10の上辺凸部10v・10wの前面に当接している。そして、左右移動板10の上部を、ベース板30に引き寄せるように付勢している。なお、左右移動板10は、左右・上下に移動するが、その際には、上辺凸部10v・10wは、帯状付勢金具36の張り出し部36gに対して滑る。
【００３１】
次に、主に図２・図３・図４を参照しつつ、上下シフト機構70の構成を説明する。図３は、図１のレンズシフト装置の上下シフト機構70の構成を示す正面図である。図４は、送りネジ軸81と送りナット27、コイルスプリング83の部分を拡大して模式的に示す正面断面図である。
【００３２】
上下シフト機構70は、手動のツマミ71を回して、その回転を歯車71k→歯車73→歯車75→上下送りネジ軸81と伝え、送りネジ軸81により送りナット27を上下にスライドさせ、これにより、送りナット27が固定された上下移動板20を上下に移動させるものである。この機構70の部品のうち、ツマミ71〜送りネジ軸81は、ブラケット77を介して、ベース板30の左張出部30pに支持されている。以下、各部について説明する。
【００３３】
ツマミ71は、図２の左上部に示すように、円盤状の成型体であって、上面中央部に直線堤状に突出するツマミ部71bを有している。ツマミ71の上面外周には、上に少々突出する周壁71fが形成されている。ツマミ71の下部には、平歯車71kが形成されている。ツマミ71は、ブラケット77の前側部において、樹脂軸受78（図３）により、回転自在に取り付けられている。ブラケット77上には、前後方向に並んで、中央部の平歯車73及び後側部の小平歯車75も、回転自在に取り付けられている。これら３個の平歯車は噛み合っている。小平歯車75には、送りネジ軸81の上端部81b（図２）が固定されており、両者は一体で回転する。
【００３４】
ブラケット77は、図２の左上部分に示すように、左右・前後面に広がる板状の部材である。この例では、ブラケット77は、鋼板のプレス加工品である。ブラケット77の周囲には、補強用のリブ77fが形成されている。ブラケット77の後側端部には、上に折り返した上折片77bが接続されている。この上折片77bは、ベース板30の左張出部30pにネジ止めされる。したがって、ブラケット77は、ベース板30の左張出部30pから前方に張り出すように、片持ちで取り付けられる。
【００３５】
上下シフト機構70の送りネジ軸81は、図３に示すように（図４も参照）、上下に延びる軸状のものである。送りネジ軸81は、上から下に見て、上ネジ無部81f、ネジ有部81j、下ネジ無部81pなどを有する。ネジ有部81jは、図４（Ｂ）に分かり易く示すように、送りナット27のメネジ27hと螺合するオネジ81kが切られた部分である。送りネジ軸81の上ネジ無部81f、及び、下ネジ無部81pは、各々、ネジ有部81jの上下につながる部分であり、ナット27のメネジ27hの内孔において空回り可能な寸法の、ネジの切られていない円筒面である。
【００３６】
送りナット27は、図２に一部示すように、四角い板ブロック状のものであって、その中央部には、上下にネジ孔27h（図４参照）が貫通している。このネジ孔27hに、送りネジ軸81のネジ有部81jが螺合可能である（図４（Ｂ）参照）。一方、送りネジ軸81の上下のネジ無部81f・81pは、ネジ孔27hの内径よりも径が細く（図４（Ｂ）参照）、同ネジ孔27h内で空転可能である。
【００３７】
送りネジ軸81の下ネジ無部81pの下の部分は、図４に示すように、樹脂軸受87を介して、ベース板30の送りネジ下端保持部30vに保持されている。同保持部30vは、図２に示すように、ベース板30の左辺30tの上下中央部に、前側に突出するように形成されている。同保持部30vは、前後方向にやや長く、左右方向にある幅を有する舌状の部分であり、この例では、樹脂成型品であるベース板30に一体に形成されている。
【００３８】
上下送りネジ軸81の下ネジ無部81pの外周には、図４に分かり易く示すように、コイルスプリング83が嵌合している。このコイルスプリング83の下端は、樹脂軸受87の上端面87jに当接している。コイルスプリング83の上端は、図４（Ａ）の状態（ナット下降限における送り無効状態）では、送りナット27の下端面27jに当接している。一方、図４（Ｂ）、あるいは図４（Ｃ）の状態（ナット上昇限における送り無効状態）では、コイルスプリング83の上端は、送りネジ軸81のオネジ81kの下端81kbに当接している。このコイルスプリング83と送りネジ機構の作用については後述する。
【００３９】
送りナット27の保持部20pについて説明する。ナット保持部20pは、上下移動板20の左辺において、左前側に突出するように形成されている。同部20pは、図２に示すように、前方に突出する上下の突出片20qを有する。なお、図２には、右側の一組の上下突出片20qのみが示されているが、左右移動板10の上辺左の凸部10wの裏に隠れて、左側の一組の上下突出片20qも存在し、合計上下左右４個の突出片20qが存在する（図３）。これら４個の突出片20qで、送りナット27の左側部分27c及び右側部分27mを挟んで、送りナット27を保持している。
【００４０】
次に、図４を参照しつつ、上下シフト機構70におけるネジ送り、及び、その無効化（送りネジ軸81の空回り）の作用を説明する。図４において、（Ａ）はナット下降限における送り無効状態であり、（Ｂ）はナット中間位置における送り有効状態であり、（Ｃ）はナット上昇限における送り無効状態である。
【００４１】
図４（Ｂ）に示す、ネジ有部81jのネジ山81kが、送りナット27のメネジ27hと噛み合っている状態では、送りネジ軸81が回転すれば、ナット27は上下に移動する。すなわち、送り有効状態である。それとともに、ナット27の固定されている上下移動板20も、上下に移動（シフト）する。なお、回転するオネジ81kのネジ溝に、コイルスプリング83が巻き込まれるのは防ぐために、オネジ81kの巻き方向と、コイルスプリング83の巻き方向は逆としてある。
【００４２】
一方、ナット27が送りの下限に至った図４（Ａ）の場合には、送りナット27は、送りネジ軸81のネジ有部81jの下に外れる。ここで、送りネジ軸81をナット下降方向に回しても、下ネジ無部81pがナット27のメネジ27hの孔内で空回りするだけで、ナット27や上下移動板20は移動しない（送り無効状態）。同様に、ナット27が送りの上限に至った図４（Ｃ）の状態では、送りナット27は、送りネジ軸81のネジ有部81jの上に外れる。ここで、送りネジ軸81をナット上昇方向に回しても、上ネジ無部81fがナット27のメネジ27hの孔内で空回りし、ナット27や上下移動板20は移動しない（送り無効状態）。
【００４３】
次に、送り無効状態から送り有効状態への移行について説明する。ここで、送りネジ軸81の下段外周のコイルスプリング83などの付勢手段が働くことになる。
まず、図４（Ａ）におけるナット下降限における送り無効状態から、ナット上昇方向への送り有効状態への移行について説明する。図４（Ａ）では、送りナット27がネジ有部81jの下にある。そして、コイルスプリング83は、送りナット27を上に持ち上げるように（ナット27がネジ有部81jに近寄る方向に）付勢している。ここで、コイルスプリング83は、ネジの推力により圧縮されて短くなり、バネ付勢力（圧力）が最大の状態である。この結果、オネジ81jとメネジ27hが離れるのを防ぐ方向の加圧が存在する。そして細かく見ると、送りナット27のメネジ27hの上端27htに、送りネジ軸81のネジ山81kの下端81kbが当たっている。
【００４４】
ここで、送りネジ軸81をナット上昇方向に回すと、圧縮されたコイルスプリング83の圧力により、送りネジ軸81に入り込む方向に付勢されている送りナット27は、送りネジ軸81のオネジ81kにスムーズに噛み合い、送り動作が速やかに開始（復活）する。すなわち、オネジ81kは、送りナット27のメネジ27hの中にスムーズに噛み込んでいき、送りネジ軸81の回転に合わせて、送りナット27は上昇を開始する。
このような、送り動作のスムーズな復活のためのサポート機構として、送りネジ軸81のネジ無部81pの外周に、コイルスプリング83を配置して、送り無効状態のナット27を、送りネジ軸81のネジ有部81jに寄せるように付勢する構造は、サポート機構のスペースがきわめて小さいので、好適である（左右シフト機構50の場合も同様）。
【００４５】
次に、図４（Ｃ）におけるナット上昇限における送り無効状態から、ナット下降方向への送り有効状態への移行について説明する。この局面では、送りナット27がネジ有部81jの上にあり、送りナット27にかかっている上下移動板20や左右移動板10、さらにレンズ鏡筒３の自重が付勢手段となっている（そのためにバネなどの部品の追加が不要）。そして、送りナット27に上記自重の付勢力（圧力）が効いている状態では、送りナット27のメネジ27hの下端27hbが、送りネジ軸81のネジ山81kの上端81ktが当たっている。
ここで、送りネジ軸81をナット下降方向に回すと、送りナット27は、上記自重の圧力により、送りネジ軸81に入り込む方向に付勢されているので、送りネジ軸81と送りナット27は、スムーズに噛み合い、送り動作が速やかに開始する。すなわち、オネジ81kは、送りナット27のメネジ27hの中にスムーズに噛み込んでいき、送りネジ軸81の回転に合わせて、送りナット27は下降を開始する。
【００４６】
次に、主に図２及び図５を主に参照しつつ、左右シフト機構50の構造を説明する。
図５は、図１のレンズシフト装置の左右シフト機構50の構成を示す正面断面図である。（Ａ）は全体を示し、（Ｂ）は、送りネジ軸61と送りナット17、コイルスプリング62・63の関係を模式的に拡大して示す正面断面図である。
図６は、図５の左右シフト機構50の、送り無効状態を模式的に示す正面断面図である。（Ａ）は右限の状態であり、（Ｂ）は左限である。
【００４７】
左右シフト機構50は、図２の手前に示す手動のツマミ51を回して、その回転を歯車51k→歯車53→小歯車55→傘歯車58・59（図５）→左右送りネジ軸61と伝え、送りネジ軸51により、送りナット17を左右にスライドさせ、これにより、送りナット17が固定された左右移動板10を左右に移動させるものである。この機構50の部品のうち、ツマミ51〜歯車55などは、ブラケット57を介して、ベース板30の右張出部30gに支持されている。以下、各部について説明する。
【００４８】
左右シフト機構50のツマミ51・歯車53・小歯車55は、上下シフト機構70のツマミ71・歯車73・小歯車75と同様のものである。これらの部品は、ブラケット57に、回転自在に取り付けられている。
【００４９】
ブラケット57は、図２の中央下部に示すように、左右・前後面に広がる板状の部材である。この例では、ブラケット57は、鋼板のプレス加工品である。ブラケット57の周囲には、補強用のリブ57fが形成されている。ブラケット57の後側端部には、下に折り返した下折片57b、及び、同下折片57bから右側に折り返された右折片57cが接続されている。この右折片57cは、ベース板30の右張出部30gにネジ止めされる。したがって、ブラケット57は、ベース板30の右張出部30gから前方に張り出すように、片持ちで取り付けられる。
【００５０】
左右シフト機構50の小歯車55の中心部には、図５（Ａ）に示すように、軸56が、上下に貫通している。この軸56の下部の外周には、傘歯車58が嵌合している。小歯車55及び傘歯車58は、軸56により相対回転不能に、かつブラケット57に対しては、上下軸周りに回転自在に取り付けられている。なお、この例では、軸56は低摩擦樹脂製であり、その下部56xは、ラジアル軸受兼スラスト軸受となっている。上記の上下軸周りに回転自在な傘歯車58は、傘歯車59と噛み合っている。同傘歯車59は、次述する送りネジ軸61とともに左右軸周りに回転する。したがって、小歯車55の上下軸周り回転は、傘歯車58・59を介して、送りネジ軸61に伝えられる。
【００５１】
左右シフト機構50の送りネジ軸61は、図５に示すように、左右に延びる軸状のものである。送りネジ軸61は、右から左に見て、軸受部61a、傘歯車嵌合部61b、右ネジ無部61f、ネジ有部61j、左ネジ無部61p、軸受部61tなどを有する。ネジ有部61jは、図５（Ｂ）に分かり易く示すように、送りナット17のメネジ17hと螺合するオネジ61kが切られた部分である。送りネジ軸61の右ネジ無部61f、及び、左ネジ無部61pは、各々、ネジ有部61jの左右につながる部分であり、ナット17のメネジ17hの内孔において空回り可能な寸法の、ネジの切られていない円筒面である。
【００５２】
送りナット17は、外形は板ブロック状のものであって、その中央部には、左右にネジ孔17hが貫通している。このネジ孔17hに、送りネジ軸61のネジ有部61jが螺合可能である。一方、送りネジ軸61の左右のネジ無部61f・61pは、ネジ孔17hの内径よりも径が細く、同ネジ孔17h内で空転可能である。
【００５３】
送りネジ軸61の右端部の軸受部61aは、樹脂軸受60を介して、上記ブラケット57の下折片57bに支持されている。送りネジ軸61の左端部の軸受部61tは、樹脂軸受67を介して、ブラケット69の下折片69bに支持されている。なお、ブラケット69は、その後部端の右折片69gにおいて、図２に示すように、ベース板30の右張出部30gの上部にネジ止めされる。したがって、ブラケット69は、ベース板30の右張出部30gから前方に張り出すように、片持ちで取り付けられる。
【００５４】
左右送りネジ軸61の右ネジ無部61fの外周には、コイルスプリング62が嵌合している。このコイルスプリング62の右端は、傘歯車59の左端面59jに当接している。コイルスプリング62の左端は、図５（Ｂ）、あるいは、図６（Ｂ）（ナット左限の送り無効状態）では、送りネジ軸61のネジ有部61jのネジ山61kの右端61krに当接している。一方、図６（Ｃ）（ナット右限の送り無効状態）では、コイルスプリング62の左端は、送りナット17のメネジ17hの右端17hrに当接している。すなわち、図６（Ａ）の状態では、コイルスプリング62は、ナット17を、左右送りネジ軸61のネジ有部61jに寄せるように付勢（加圧）している。
【００５５】
送りネジ軸61の左ネジ無部61pの外周には、コイルスプリング63が嵌合している。このコイルスプリング63の左端は、軸受67の右端面67jに当接している。このコイルスプリング63の右端は、送りネジ軸61のネジ有部61jのネジ山61kの左端61klに当接している。コイルスプリング63の右端は、図６（Ａ）（ナット右限の送り無効状態）では、送りネジ軸61のネジ有部61jのネジ山61kの左端61klに当接している。一方、図６（Ｂ）（ナット左限の送り無効状態）では、コイルスプリング63の右端は、送りナット17のメネジ17hの左端17hlに当接している。すなわち、図６（Ｂ）の状態では、コイルスプリング63は、ナット17を、左右送りネジ軸61のネジ有部61jに寄せるように付勢（加圧）している。これらのコイルスプリング62・63と左右送りネジ機構の作用については後述する。
【００５６】
送りナット17の保持部10pについて説明する。ナット保持部10pは、図２に一部示すように、左右移動板10の右辺上部において、前側に突出するように形成されている。同部10pは、図５（Ａ）に示すように、前方に突出する上の突出片10q、及び、下の突出片10rを有する。さらに、ナット保持部10pの後側部分には、上下に延びる溝10sが切り込まれている。これら突出片10q又は10r、及び、溝10sで、送りナット17を挟んで、送りナット17を保持している。なお、ナット保持部10pは、左右移動板10とともに、上下にも移動するが、ナット17は、上下に移動しないので、ナット17はナット保持部10p内で上下にスライドする。なお、左右送りネジ軸61は、ベース板30に固定されたブラケット57・69に対して、回転自在ではあるが、上下・左右には動かないように保持されている。
【００５７】
次に、図５及び図６を参照しつつ、左右シフト機構50におけるネジ送り、及び、その無効化（送りネジ軸61の空回り）の作用を説明する。図５はナット中間位置における送り有効状態であり、図６（Ａ）はナット右限（左右移動板10の右限でもある）における送り無効状態であり、図６（Ｂ）はナット左限（左右移動板10の左限でもある）における送り無効状態である。
【００５８】
図５に示す、ネジ有部61jのオネジ61kが、送りナット17のメネジ17hと噛み合っている状態では、送りネジ軸61が回転すれば、ナット17は左右に移動する。すなわち、送り有効状態である。それとともに、ナット17の固定されている左右移動板10も、左右に移動（シフト）する。なお、コイルスプリング62・63のネジ部巻込み防止のため、ネジの巻き方向と、コイルスプリングの巻き方向が逆なのは、上下シフト機構70の場合と同じである。
【００５９】
図６（Ａ）の、ナット17が送りの右限に至った場合には、送りナット17は、送りネジ軸61のネジ有部61jの右に外れる。ここで、左右送りネジ軸61をナット右行方向に回しても、右ネジ無部81fがナット17のメネジ17hの孔内で空回りするだけで、ナット17や左右移動板10は移動しない（送り無効状態）。同様に、ナット１7が送りの左限に至った図６（Ｂ）の状態では、送りナット17は、送りネジ軸61のネジ有部61jの左に外れる。ここで、左右送りネジ軸61をナット左行方向に回しても、左ネジ無部61pがナット17のメネジ17hの孔内で空回りし、ナット17や左右移動板10は移動しない（送り無効状態）。
【００６０】
次に、送り無効状態から送り有効状態への移行について説明する。ここで、送りネジ軸61のネジ無部61f・61pのコイルスプリング62・63（付勢手段）が働くことになる。
まず、図６（Ａ）の送りナット17がネジ有部61jの右にある状態（右行限）では、上述のように、コイルスプリング62は、ナット17を、左右送りネジ軸61のネジ有部61jに寄せるように付勢（加圧）している。そのため、送りナット17のメネジ17hの左端17hlに、送りネジ軸61のオネジ61kの右端61krが当たっている。
【００６１】
ここで、左右送りネジ軸61をナット左行方向に回すと、左右送りナット17は、送りネジ軸61のネジ有部61jに近寄る方向（左行方向）に付勢されているので、送りネジ軸61と送りナット17は、スムーズに噛み合い、送り動作が速やかに開始する。すなわち、オネジ61kは、送りナット17のメネジ17hの中にスムーズに噛み込んでいき、送りネジ軸61の回転に合わせて、送りナット17は左に移動する。
【００６２】
次に、図６（Ｂ）のナット左行限から右行の送り有効状態への移行について説明する。図６（Ｂ）の送りナット１7がネジ有部61jの左に位置する状態では、コイルスプリング63は、ナット17を、左右送りネジ軸61のネジ有部61jに寄せるように付勢（加圧）している。そのため、送りナット17のメネジ17hの右端17hrが、送りネジ軸61のオネジ61kの左端61klに当たっている。
【００６３】
ここで、左右送りネジ軸61をナット右行方向に回すと、送りネジ軸61はナット17に近寄る方向（右方向）に付勢されているので、送りネジ軸61と送りナット17は、スムーズに噛み合い、送り動作が速やかに開始する。すなわち、オネジ61kは、送りナット17のメネジ17hの中にスムーズに噛み込んでいき、左右送りネジ軸61の回転に合わせて、送りナット17は右に移動を開始する。
【００６４】
以上、図を参照しつつ説明した実施形態は、本発明の一例であって、本発明がこの実施形態に限定されるものではなく、様々な変更・追加を行うことができる。
【図１】
2019015862.tif 000003
【図２】
2019015862.tif 000004
【図３】
2019015862.tif 000005
【図４】
2019015862.tif 000006
【図５】
2019015862.tif 000007
【図６】
2019015862.tif 000008